(57)【要約】      （修正有）【課題】切削屑の排出が順調で、かつ締め付け効果の良い、排屑溝つきねじを提供する。【解決手段】ドリルねじ４は、１つの頭部４１と、１つの頭部４１と連接するねじロッド４２と、ねじロッド４２の上に一段或いは一段以上のねじ部４３を設け、ねじロッド４２の別端には、ねじ先端部４４とねじ先端部４４からねじ部４３まで延長された排屑溝４４２とを設け、ねじ先端部４４の端末に円錐面４４１を形成し、ねじ先端部４４周縁に２つの対称的な螺旋状の排屑溝４４２を有し、２つの排屑溝４４２と円錐面４４１の接続の端縁に、先端切削刃４４３を形成し、排屑溝４４２はねじ部４３まで延長接触でねじタッピン刃先４３１とする。【選択図】図５
0003156633.tif 000002
【実用新案登録請求の範囲】
【請求項１】
排屑溝つきドリルねじであって、その特徴は、１つの頭部と；１つの頭部と連接するねじロード；該ねじロードの上にねじ部を設け、該ねじロードに螺旋形な排屑溝を設け、該排屑溝は先端部からねじ部まで延在して、タッピン刃先となるで、構成されることを特徴とする排屑溝つきドリルねじ。
【請求項２】
前記ねじロード上の排屑溝は複数であることを特徴とする請求項１に記載の排屑溝つきドリルねじ。
【請求項３】
前記複数の排屑溝は少なくとも１つの排屑溝がねじ先端部の隣接境までだけ伸ばしたことを特徴とする請求項２に記載の排屑溝つきドリルねじ。
【請求項４】
前記複数の排屑溝はねじロード上のねじ部まで延在することを特徴とする請求項２に記載の排屑溝つきドリルねじ。
【請求項５】
前記排屑溝は頭部まで伸ばした、あるいは、中断で伸ばしたことを特徴とする請求項２に記載の排屑溝つきドリルねじ。
【請求項６】
前記排屑溝は場合によって、違った角度を設置することを特徴とする請求項２に記載の排屑溝つきドリルねじ。
【請求項７】
前記ねじロード上のねじ部は複数であることを特徴とする請求項１に記載の排屑溝つきドリルねじ。
【請求項８】
排屑溝つきタッピンねじであって、その特徴は、１つの頭部と；１つの頭部と連接するねじロード；該ねじロードの上にねじ部を設け、該ねじ部に螺旋形な排屑溝を設けるで、構成されることを特徴とする排屑溝つきタッピンねじ。
【請求項９】
前記タッピンねじの排屑溝は頭部まで伸ばしたことを特徴とする請求項８に記載の排屑溝つきタッピンねじ。
【請求項１０】
前記排屑溝は場合によって、違った角度を設置することを特徴とする請求項８に記載の排屑溝つきタッピンねじ。
【請求項１１】
前記排屑溝は複数であることを特徴とする請求項８に記載の排屑溝つきタッピンねじ。
【請求項１２】
前記複数の排屑溝の長さは同じでないも良いことを特徴とする請求項１１に記載の排屑溝つきタッピンねじ。
【考案の詳細な説明】
【技術分野】
【０００１】
この考案は排屑溝つきねじに関し、特に物と物を締め付ける用のドリルねじとタッピンねじに関する。
【背景技術】
【０００２】
鋼板と鋼板などの物と物を締め付けるときに、ドリルねじ或いはタッピンねじを工具とすれば、別に穴を開けらなくても、締め付けることができる、たとえば、ＤＩＹハウスの組み立てに、鋼板とルーフ、木材家具、鉄棚、塀、アルミニウム門窓などの締め付け工具によく使われる。
図１に従来のドリルねじの構造を開示する。図面によれば、ドリルねじ１は、１つの頭部１１と；１つの頭部１１と連接するねじロッド１２、ねじロッド１２の上にねじ部１３を設け、ねじロッド１２の別端には、ねじ先端部１４と、ねじ先端部１４の端末に円錐面１４１を形成され、円錐面１４１周縁に２つの対称的斜めな排屑溝１４２を設け、２つの排屑溝１４２と円錐面１４１とねじ先端部１４の接続の端縁に、先端切削刃１４３と切削刃１４４を形成され。締め付け作動ときに、先端切削刃１４３と切削刃１４４の切削ドリルで、ドリルねじ１のねじ部１３を引導して、だんだん締め付けていく、それと同時に、発生された切削屑がねじ先端部１４を沿って、排屑溝１４２より上に推移して排出されで締め付けてなる。
中華民国実用新案「９６２１５６４８号」「ドリルねじ構造改良」と中華民国実用新案「９６１１９０６６号」「ドリルねじ成型法とその製品」により改良法は、図２，３により、その従来のドリルねじの構造を開示する。図面によれば、ドリルねじ２は、１つの頭部２１と；１つの頭部２１と連接するねじロッド２２、ねじロッド２２の上に２段のねじ部２３を設け、ねじロッド１２の別端には、ねじ先端部２４と、ねじ先端部２４の端末に円錐面２４１を形成され、円錐面２４１周縁に２つの対称的斜めな排屑溝２４２を設け、円錐面２４１と２つの排屑溝２４２と隣接の傍に各々に断面方形の刃唇２４３を凸設し、２つの排屑溝２４２と円錐面２４１と刃唇２４３の接続の端縁に、先端切削刃２４４と切削刃２４５を形成される。
従来のドリルねじ２は、締め付け作動ときに、ねじ先端部２４の先端切削刃２４４と切削刃２４５の切削ドリルで、ドリルねじ２のねじ部２３を引導して、だんだん締め付けていく、それと同時に、発生された切削屑がねじ先端部２４を沿って、排屑溝２４２より上に推移して、刃唇２４３が先端部２４の周縁に排屑空間を作り、切削屑を排出されながら締め付けてなる。
しかしながら、刃唇２４３の外径は先端部２４の外径より大きいと、手震えなどの拡大作用で、ドリル孔が多少拡大となり、ねじ部２３との噛み合いに緩みがでって、不安定な締め付けになる恐れがある。
図４に従来のタッピンねじの構造を開示する。図面によれば、タッピンねじ３は、主に、１つの頭部３１と；１つのねじロッド３２、頭部３１と連接するねじロッド３２；排屑溝３３とで構成され；ねじロッド３２の上にねじ部３２１を有し、タッピンねじが切削ドリルに、発生した切削屑は、排屑溝３３より、排出される。
【考案の開示】
【考案が解決しようとする課題】
【０００３】
前記従来の排屑溝つきねじでは、下記の欠点があります。
１．従来のドリルねじのねじ先端部には、２つの対称的排屑溝を設けておるが、切削刃位置は切削溝とねじ先端部周縁連接ところにおり、切削溝終点がねじ部すぐまえにおる、ねじ部には排屑空間があまりないので、切削屑が切削溝終点に阻止されることあり、そこに過熱発生となるので、ドリルねじが折れるとなり、締め付け効果がわるくなるなどが得やすい。
２．従来のタッピンねじのねじ先端部には、９０°角度の排屑溝を設けておるが、排屑溝の長さが切削屑量を収容に不足と、切削屑が切削溝終点に阻止されると、排屑空間足りないになあるので、切削屑の排出が順調できない、切削屑が詰まることになるから、締め付け効果がわるくなるなどが得やすい。
この考案は、以上の欠陥を改善し、特に切削屑の排出を順調なり、締め付け効果の良い排屑溝つきねじを提供することを課題とする。
【課題を解決するための手段】
【０００４】
そこで、本考案者は従来の技術に見られる欠点に鑑み鋭意研究を重ねた結果、本考案を完成させた。本考案の排屑溝つきねじは、１つの頭部と；１つの頭部と連接するねじロッド、ねじロッドの上に一段或いは一段以上のねじ部を設け、１つ或いは１つ以上の螺旋状の排屑溝を有し、ねじ部にタッピン刃先を形成されることで構成された排屑溝つきねじ。
【考案の効果】
【０００５】
この考案の排屑溝つきねじによれば、下記の効果があります：
１．切削屑排出の改良で、ねじの過熱発生しないので、締め付け効果よくなる。
２．ドリル孔の拡大ことないので、ねじ部との噛み合うにもっと安定となる。
３．切削屑排出の改良で、タッピン切削面品質も向上し、締め付けも安定性よくなる。
【実施例１】
【０００６】
図５，６に、この考案の第１実施例によるドリルねじ構造を示した正面斜視図と先端部の断面図を開示する。図面によれば、この考案の第１実施例によるドリルねじ４は、１つの頭部４１と；１つの頭部４１と連接するねじロッド４２；ねじロッド４２の上に一段或いは一段以上のねじ部４３を設け、ねじロッド４２の別端には、ねじ先端部４４と、ねじ先端部４４からねじ部４３まで延長された排屑溝４４２とを設け、ねじ先端部４４の端末に円錐面４４１を形成され、ねじ先端部４４周縁に２つの対称的な螺旋状の排屑溝４４２を有し、２つの排屑溝４４２と円錐面４４１の接続の端縁に、先端切削刃４４３を形成され、排屑溝４４２はねじ部４３まで延長接触でねじタッピン刃先４３１となり、図６に示した先端部の断面図によれば、ねじ先端部４４の外径は円筒形であり、導軸に成れるの上、孔拡張現象殆ど発生しないとなる。なお、図７に示されたように、排屑溝４４２はねじ部４３まで延長されてもよい、図８に示されたように、排屑溝４４２は頭部１１まで中断で延長されてもよい、場合によって、違った角度を設置してもよいことになる。
図９，１０に示されたように、この考案のドリルねじの作動を開示する。ドリルねじ４のねじ先端部４４は、作動対象物に合って、工具でドリルねじ４の頭部４１を回転して、ねじ先端部４４を下向いてドリルするとき、ドリルねじ４はねじ部４３のねじタッピン刃先４３１を介して、有効てき切削ドリルして、切削屑を排屑溝４４２より排出する。
【実施例２】
【０００７】
図１１に、この考案の第２実施例によるタッピンねじ構造を示した正面斜視図を開示する。図面によれば、この考案の第２実施例によるタッピンねじ５の構造は、１つの頭部５１と；１つの頭部５１と連接するねじロッド５２、ねじロッド５２の上にねじ部５３を設け、ねじロッド５２の別端には、鋭い或いは平らなねじ先端部となる。タッピンねじ５に、１つ或いは１つ以上の螺旋状の排屑溝５４を有し、ねじ部５３にタッピン刃先５３１を形成され、図１２に示されたように、排屑溝５４の長さは先端部から頭部５１の下まで、場合によって調整できる、排屑溝５４の角度も場合によって違った角度を設置してもよいことになる。
図１３，１４に示されたように、この考案のタッピンねじの作動を開示する。タッピンねじ５のねじ先端部は、作動対象物に合って、工具でタッピンねじ５の頭部５１を回転して、ねじ先端部を下向いてドリルするとき、タッピンねじ５はねじ部５３のタッピン刃先５３１を介して、有効てき切削ドリルして、切削屑を排屑溝５４より排出ことになる。
【図面の簡単な説明】
【０００８】
【図１】従来のドリルねじを示した正面斜視図である。
【図２】従来のドリルねじを示した正面斜視図である。
【図３】従来のドリルねじの先端部を示した断面図である。
【図４】従来のタッピンねじを示した正面斜視図と断面図である。
【図５】この考案の第１実施例によるドリルねじを示した正面斜視図である。
【図６】この考案の第１実施例によるドリルねじを示した先端部の断面図である。
【図７】この考案の第１実施例によるドリルねじの説明図である。
【図８】この考案の第１実施例によるドリルねじの説明図である。
【図９】この考案の第１実施例によるドリルねじの作動説明図である。
【図１０】この考案の第１実施例によるドリルねじの作動説明図である。
【図１１】この考案の第２実施例によるタッピンねじの説明図である。
【図１２】この考案の第２実施例によるタッピンねじの説明図である。
【図１３】この考案の第２実施例によるタッピンねじの作動説明図である。
【図１４】この考案の第２実施例によるタッピンねじの作動説明図である。
【符号の説明】
【０００９】
１         ドリルねじ
１１       頭部
１２       ねじロッド
１３       ねじ部
１４       ねじ先端部
１４１     円錐面
１４２     排屑溝
１４３     先端切削刃
１４４     切削刃
１４５     排屑溝終点
２         ドリルねじ
２１       頭部
２２       軸部
２３       ねじ部
２４       ねじ先端部
２４１     円錐面
２４２     排屑溝
２４３     刃唇
２４４     先端切削刃
２４５     切削刃
２４６     排屑溝終点
３         タッピンねじ
３１       頭部
３２       ねじロッド
３２１     ねじ部
３３       排屑溝
３３１     角度
４         ドリルねじ
４１       頭部
４２       ねじロッド
４３       ねじ部
４３１     ねじタッピン刃先
４４       ねじ先端部
４４１     円錐面
４４２     排屑溝
４４３     先端切削刃
５         タッピンねじ
５１       頭部
５２       ねじロッド
５３       ねじ部
５３１     タッピン刃先
５４       排屑溝
【図１】
0003156633.tif 000003
【図２】
0003156633.tif 000004
【図３】
0003156633.tif 000005
【図４】
0003156633.tif 000006
【図５】
0003156633.tif 000007
【図６】
0003156633.tif 000008
【図７】
0003156633.tif 000009
【図８】
0003156633.tif 000010
【図９】
0003156633.tif 000011
【図１０】
0003156633.tif 000012
【図１１】
0003156633.tif 000013
【図１２】
0003156633.tif 000014
【図１３】
0003156633.tif 000015
【図１４】
0003156633.tif 000016
【手続補正書】
【提出日】平成21年10月28日(2009.10.28)
【手続補正１】
【補正対象書類名】実用新案登録請求の範囲
【補正対象項目名】請求項６
【補正方法】変更
【補正の内容】
【請求項６】
前記排屑溝は、排屑効果によって、角度を修正して設置するも良いことを特徴とする請求項２に記載の排屑溝つきドリルねじ。
【手続補正２】
【補正対象書類名】実用新案登録請求の範囲
【補正対象項目名】請求項１０
【補正方法】変更
【補正の内容】
【請求項１０】
前記排屑溝は、排屑効果によって、角度を修正して設置するも良いことを特徴とする請求項８に記載の排屑溝つきタッピンねじ。
【手続補正３】
【補正対象書類名】実用新案登録請求の範囲
【補正対象項目名】請求項１２
【補正方法】変更
【補正の内容】
【請求項１２】
前記複数の排屑溝の長さは同じでなくても良いことを特徴とする請求項１１に記載の排屑溝つきタッピンねじ。